(57)【要約】【課題】毛髪の流れに沿って直線的に染毛するだけではなく、複雑な模様等を毛髪全体に施すことが可能な染毛料用補助具を提供することを、解決すべき課題とする。【解決手段】柔軟性のある模様を型抜きした板状プレートを毛髪に密着させて染毛を行うことにより、毛髪の流れに沿った直線的な模様だけでなく、例えば、ひょう柄等の複雑な模様でも容易に染毛することができる染毛料用補助具を提供する。【選択図】図１
2016137086.tif 000002
【特許請求の範囲】
【請求項１】
毛髪を染毛する際の補助具であって、複雑な模様を型抜きした柔軟性のある板状プレートであることを特徴とする染毛料用補助具。
【請求項２】
前記板状プレートが合成樹脂であることを特徴とする請求項１記載の染毛料用補助具。
【請求項３】
前記板状プレートが透明であることを特徴とする請求項１または２記載の染毛料用補助具。
【請求項４】
前記板状プレートの厚さが０．０５ｍｍ〜１．５ｍｍであることを特徴とする請求項１〜３いずれか１項記載の染毛料用補助具。
【請求項５】
前記板状プレートに１種または２種以上の模様が型抜きされていることを特徴とする請求項１〜４いずれか１項記載の染毛料用補助具。
【請求項６】
請求項１〜５いずれか１項記載の染毛料補助具を使用した染毛方法。
【発明の詳細な説明】
【技術分野】
【０００１】
本発明は、毛髪に複雑な模様を容易に施すことができる染毛料用補助具に関するものである。
【背景技術】
【０００２】
近年の消費者は、毛髪を「染める」行為が当然となった現在において、毛髪全体を染毛するのみではファッションの多様性や個性を引き出すことが困難なことから、個性を尊重できるような商品を望んでいる現状がある。このようなニーズにこたえるため、色々な商品形態が市場に導入されている。
【０００３】
例えば、毛髪に着色する化粧料として、カラークレヨン等の一時染毛剤や、ヘアーマスカラ（特許文献１）のような、毛髪の流れに沿って部分的に染毛する商品が市場に投入されている。
【０００４】
しかし、上述した商品は、毛髪の流れに沿って直線的に染毛することはできるが、複雑な模様を毛髪自体に施すことは困難である。
【０００５】
ところで、木材のような板状のものや布等に各種の文字等を切り抜きした状態で塗写するための技術（特許文献２）や花弁に、直接、文字、模様などの図柄が描かれている贈答用生花の提供するための技術（特許文献３）など、いわゆるステンシルプレートに関する技術がいくつか紹介されている。
【０００６】
化粧品の分野では、このようなステンシルプレートを利用した技術として、左右対称に眉を容易に描く眉整形補助具に関する技術（特許文献４）等が紹介されているが、いまだ頭髪化粧料にこのような技術を用いた例はない。
【先行技術文献】
【特許文献】
【０００７】
【特許文献１】特開平１１−４９６５１号公報
【特許文献２】実用新案登録第３１７４９６６号公報
【特許文献３】特開２０１０−６０３５号公報
【特許文献４】特開２００２−１０８３０号公報
【発明の概要】
【発明が解決しようとする課題】
【０００８】
そこで本発明は、毛髪の流れに沿って直線的に染毛するだけではなく、複雑な模様等を毛髪の一部または全体に施すことが可能な染毛料用補助具を提供することを、解決すべき課題とする。
【０００９】
本発明者は、上記問題を解決するため鋭意検討をした結果、模様を型抜きした柔軟性のある板状プレートを毛髪に密着させて染毛を行うことにより、上記問題を解決するに至った。
【課題を解決するための手段】
【００１０】
本発明は、模様を型抜きした柔軟性のある板状プレートを毛髪に密着させて染毛を行うことにより、毛髪の流れに沿った直線的な模様だけでなく、例えば、ひょう柄等の複雑な模様でも容易に染毛することができる染毛料用補助具を提供する。
【発明の効果】
【００１１】
本発明は、毛髪の流れに沿って直線的に染毛するだけではなく、複雑な模様等を毛髪の一部または全体に施すことが可能な染毛料用補助具を提供することができる。
【図面の簡単な説明】
【００１２】
【図１】図１は染毛料用補助具の実施方法を示した説明図である。
【図２】図２は染毛料用補助具の実施方法を示した説明図である。
【図３】図３は染毛料用補助具の正面図の例である。
【図４】図４は染毛料用補助具の正面図の例である。
【図５】図５は染毛料用補助具の正面図の例である。
【図６】図６は染毛料用補助具の正面図の例である。
【図７】図７は染毛料用補助具の正面図の例である。
【図８】図８は染毛料用補助具の正面図の例である。
【発明を実施するための形態】
【００１３】
以下、本発明を詳細に説明する。本発明は、毛髪を染毛する際の補助具であって、複雑な模様を型抜きした柔軟性のある板状プレートであることを特徴とする染毛料用補助具である。
【００１４】
上記でいう「染毛」とは、着色を含む。
【００１５】
発明による染毛料用補助具は、複雑な模様を型抜きした板状プレートを使用する。
【００１６】
上記でいう「複雑な模様」とは、特に限定されないが、多角形、ドット柄、ひょう柄やゼブラ柄等の動物柄、ハート形、星形等、複雑な模様であればよい。特に、毛髪の流れに沿って施すことができない柄であることが好ましい。毛髪の流れに沿って施す染毛は現在紹介されている技術を利用すれば容易に可能であるためである。
【００１７】
本発明による染毛料用補助具には、柔軟性のある板状プレートを使用する。
【００１８】
上記「柔軟性」とは、使用時毛髪に密着させる際、頭部の形に容易に湾曲する程度でよく、材質は特に限定されない。
【００１９】
本発明による前記板状プレートに使用する材質は、特に限定されないが、木材、紙、布、セロファンのような合成樹脂等でよく、使い捨てタイプでも再利用タイプでもよい。その中でも、耐久性、再利用性の観点から合成樹脂であることが好ましい。合成樹脂であれば、頭髪の形に何度も湾曲させたとしても、もとの板状プレートに復元し、染毛により汚れたとしても、洗浄することで再利用が可能であるためである。
【００２０】
本発明による前記板状プレートは、特に限定されないが、透明であることが好ましい。毛髪全体に複雑な模様を施す際、当該染毛料用補助具を何度か場所をかえて使用し、または前記板状プレートの種類をかえて使用することができる。その場合、既に施した模様が前記板状プレート越しに透けて見える方が、施術しやすいからである。
【００２１】
上記でいう「透明」とは、Ｍｉｃｒｏｓｏｆｔ社のＷｏｒｄを使用し、フォント「ＭＳゴシック」フォントサイズ「１０」でアルファベット小文字２６文字を不規則に並べて記載し印刷した白紙の上に、本発明で使用する形を抜く前のプレートをおいたとき、印刷された文字が認識することができる程度でよい。
【００２２】
本発明による前記板状プレートに使用する透明な合成樹脂は、特に限定されないが、ポリプロピレン、ポリエチレンテレフタレート樹脂、アクリロニトリル・ブタジエン・スチレン樹脂、アクリロニトリル・スチレン樹脂、ポリメタクリルスチレン樹脂、シリコンゴム等が挙げられるが、薄くて丈夫な柔軟性の観点から、ポリプロピレン、ポリエチレンテレフタレート樹脂、アクリロニトリル・ブタジエン・スチレン樹脂が好ましい。
【００２３】
本発明による前記板状プレートの色調は、特に限定されないが、無色であることが好ましい。前記板状プレート越しに施術した模様を確認する際、無色である方が頭髪全体に模様を施したときの雰囲気を確認しやすいからである。
【００２４】
本発明による前記板状プレートの厚みは、特に限定されないが、柔軟性と頭髪の形に何度も湾曲させたときの復元性の観点から、０．０５ｍｍ〜１．５ｍｍが好ましく、０．１ｍｍ〜０．８ｍｍがより好ましく、最も好ましいのは０．１ｍｍ〜０．５ｍｍである。
【００２５】
本発明による前記板状プレートに使用する染毛料は、特に限定されないが、霧状で塗布するタイプの染毛料であることが好ましい。前記板状プレートを用いて一人で毛髪に模様を施す場合、前記板状プレートを片手で毛髪に密着させ、もう一方の手で染毛することを考慮すると、霧状で塗布するタイプの染毛料の方が、施術しやすいためである。
【００２６】
本発明による前記板状プレートに施す模様は、一枚の板状プレートに対し、１種または２種以上の模様を型抜きしてもよい。一枚の板状プレートに色々な模様の型抜きがされていれば、複数の板状プレートを使い分けることなく毛髪に模様を施すことができる。
【００２７】
本発明による前記板状プレートに施す模様は、複数の前記板状プレートを使用することにより一つの模様を施すことができてもよいし、複数の前記板状プレートと複数の染毛剤を使用することにより一つの模様を施すことができてもよい。
【００２８】
本発明による前記板状プレートの形状は、特に限定されないが、持ち手を付けてもよいし、その大きさはＡ４サイズでもよいが、片手で持てる大きさであって、染毛剤を用いて施術する行為を考慮し、Ａ５からＡ６サイズが好ましい。
【００２９】
本発明は、前記板状プレートを用いて、毛髪に密着させ、染毛料を用いて染毛することにより、複雑な模様を毛髪に施す染毛方法である。
【００３０】
本発明の使用方法により、前記板状プレートを、毛髪に付着した状態、若しくは毛髪に接触しない程度に離隔した状態で、動かないように固定し、その上から染毛剤を塗布することにより毛髪に模様を施すことができる。その後、前記板状プレートをずらし、前記と同様に染毛剤を塗布することにより毛髪の一部または全体に模様を施すこともできる。
【００３１】
本発明の使用方法により使用した前記板状プレートは、水若しくは中性洗剤等の一般的な家庭用洗剤で洗浄することにより、染毛料を洗浄することができ、再利用することができる。
【産業上の利用可能性】
【００３２】
本発明は、毛髪の流れに沿って直線的に染毛するだけではなく、複雑な模様等を毛髪の一部または全体に施すことが可能な染毛料用補助具を提供することができる。
【符号の説明】
【００３３】
１．染毛料用補助具本体
２．型抜き部分
【図１】
2016137086.tif 000003
【図２】
2016137086.tif 000004
【図３】
2016137086.tif 000005
【図４】
2016137086.tif 000006
【図５】
2016137086.tif 000007
【図６】
2016137086.tif 000008
【図７】
2016137086.tif 000009
【図８】
2016137086.tif 000010